(57)【要約】【課題】他のコンピュータ機器を使わずに設定可能となり、独自のネットワーク設定を行なうことができ、且つ他のエルゴノミックな機能を含むルーティング装置を提供する。【解決手段】本発明のルーティング装置は、ネットワーク接続によりネットワーク信号の送受信を実行するルーティング装置の一種であって、ネットワーク接続が無線ネットワーク接続または有線ネットワーク接続を含み、無線ネットワーク接続に使用し、ネットワーク信号を無線送信及び／又は無線受信する無線ネットワーク送受信機構と、有線ネットワーク接続に使用し、ネットワーク信号を有線送信及び／又は有線受信する有線ネットワーク送受信機構と、写真データを格納するメモリー体と、無線ネットワーク接続及び／又は有線ネットワーク接続のネットワーク設定に使用し、ネットワーク設定の設定結果及び写真データを表示するタッチパネルと、を備える。【選択図】図２
2016092812.tif 000002
【特許請求の範囲】
【請求項１】
ネットワーク接続によりネットワーク信号の送受信を実行するルーティング装置であって、
前記ネットワーク接続が無線ネットワーク接続または有線ネットワーク接続を含み、
前記無線ネットワーク接続に使用し、ネットワーク信号を無線送信及び／又は無線受信する無線ネットワーク送受信機構と、
前記有線ネットワーク接続に使用し、ネットワーク信号を有線送信及び／又は有線受信する有線ネットワーク送受信機構と、
写真データを格納するメモリー体と、
前記無線ネットワーク接続及び／又は前記有線ネットワーク接続のネットワーク設定に使用し、前記ネットワーク設定の設定結果及び写真データを表示するタッチパネルと、を備えることを特徴とするルーティング装置。
【請求項２】
前記タッチパネルがデジタルフォトフレーム機能を有する請求項１に記載のルーティング装置。
【請求項３】
前記タッチパネルが液晶モジュールである請求項１に記載のルーティング装置。
【請求項４】
前記無線ネットワーク送受信機構が無線LANモジュールと、携帯トランシーバモジュールとを有する請求項１に記載のルーティング装置。
【請求項５】
さらにUSBインターフェースと、RJ45コネクタとを有する請求項１に記載のルーティング装置。
【請求項６】
前記携帯トランシーバモジュールが、USBインターフェース及び／又は内蔵インタフェースを通じてユーザ識別モジュールに接続する請求項４に記載のルーティング装置。
【請求項７】
さらにバッテリー部を有し、前記バッテリー部がねじ無し着脱式バッテリー部である請求項１に記載のルーティング装置。
【請求項８】
前記バッテリー部がモバイルバッテリーである請求項７に記載のルーティング装置。
【請求項９】
さらに着脱式アンテナ部を含む請求項１に記載のルーティング装置。
【請求項１０】
前記タッチパネルが、マイクロプロセッサを通じてルーティング装置のプロセッサに連接する請求項１に記載のルーティング装置。
【発明の詳細な説明】
【技術分野】
【０００１】
本発明は、ルーティング装置に関するもので、特に直接インターネット接続設定を行なうことができるルーティング装置に関する。
【背景技術】
【０００２】
ルーターは、ネットワーク通信事業者（ISP）から使用者ネットワーク設備間でネットワーク層のルーティングをするデータ発送通信装置である。ルーターは主にデータをネットワーク層で、ルーティングテーブルを通してどのルートを転送すべきかを判断する。その他、ルーターは通常、データの暗号化および復号化の設定機能を有し、情報保全の目的を達成する。
【０００３】
従来のルーターを使用する際、ルーターを有線ネットワークまたは無線ネットワークで個人パソコン、ノートパソコンまたは任意のモバイルデータデバイスとの接続により、ルーターのパスワード設定、暗号化設定、復号化設定などの操作を行なう。従来のルーターを設定するとき、他のコンピュータに接続する必要があるので不便である。
【発明の概要】
【発明が解決しようとする課題】
【０００４】
また、パソコンをルーターに連接させて、ルーターでパソコンにルーティング設定を行なうという従来設定方法では、より高技術を有するコンピュータ操作の使用者が必要である。従来技術の中においては、設定完成後、使用者にてコンピュータ接続状況のテストが必要なので、その使用は不便である。
【０００５】
それ故、他のコンピュータ機器を使わずに設定が可能となり、独自のネットワーク設定を行なうことができ、且つ他のエルゴノミックな機能を含むルーティング装置を提供することを目的とする。
【課題を解決するための手段】
【０００６】
本発明の目的はタッチパネルを備えたルーティング装置を提供する。直接前記タッチパネルで前記ルーティング装置の設定をすることができ、また設定中と設定後の表示を示すこともでき、且つ前記タッチパネルがフォトフレームとして使用することができる。
【０００７】
本発明が提供するのは、従来技術の問題を解決する為に、ネットワーク接続によりネットワーク信号の送受信を実行するルーティング装置の一種であって、前記ネットワーク接続が無線ネットワーク接続または有線ネットワーク接続を含み、前記ルーティング装置が前記無線ネットワーク接続に使用し、前記ネットワーク信号を無線送信及び／又は無線受信する無線ネットワーク送受信機構と、前記有線ネットワーク接続に使用し、前記ネットワーク信号を有線送信及び／又は有線受信する有線ネットワーク送受信機構と、写真データを格納するメモリー体と、前記無線ネットワーク接続及び／又は前記有線ネットワーク接続のネットワーク設定に使用し、前記ネットワーク設定の設定結果及び前記写真データを表示するタッチパネルと、を備える。
【０００８】
前記タッチパネルがデジタルフォトフレーム機能を有する。
【０００９】
前記タッチパネルが液晶モジュールである。
【００１０】
前記無線ネットワーク送受信機構が、無線LANモジュール及び携帯トランシーバモジュールを有する。
【００１１】
前記ルーティング装置がさらにUSBインターフェースと、RJ45コネクタとを有する。
【００１２】
前記携帯トランシーバモジュールが、USBインターフェース及び／又は内蔵インタフェースを通じてユーザ識別モジュールに接続する。
【００１３】
前記ルーティング装置がさらにバッテリー部を有し、前記バッテリー部はねじ無し着脱式バッテリー部である。
【００１４】
前記バッテリー部がモバイルバッテリーである。
【００１５】
前記ルーティング装置がさらに着脱式アンテナ部を含む。
【００１６】
前記タッチパネルが、マイクロプロセッサを通じてルーティング装置のプロセッサに連接する。
【発明の効果】
【００１７】
本発明のルーティング装置は以下の効果を有する。直接前記タッチパネルで前記ルーティング装置を設定することができ、また設定中と設定後の表示を示すこともでき、且つ前記タッチパネルがフォトフレームとして使用することができる。
【図面の簡単な説明】
【００１８】
【図１】本発明の実施例に係るルーティング装置の外観を示す図である。
【図２】本発明の実施例に係るルーティング装置を示すブロック図である。
【図３】本発明の実施例に係るルーティング装置のタッチパネルに輸入画面を示す図である。
【図４】本発明の実施例に係るルーティング装置のタッチパネルを示すブロック図である。
【図５】本発明の実施例に係るルーティング装置のタッチパネルにデジタル写真を示す図である。
【発明を実施するための形態】
【００１９】
以下は図１から図５に基いて、本発明の実施形態について説明する。該当説明は本発明の実施形態の一つの例示にすぎず、本発明の実施形態を限定するものではない。
【００２０】
図１が示すように、本発明の実施例に係るルーティング装置１の外観を示す図である。前記ルーティング装置１がRJ45コネクタ１１１に接続しているネットワークケーブル（図示せず）又はアンテナ１０１によりネットワーク通信事業者（ISP）に接続され、前記ネットワーク通信事業者のネットワーク信号の送受信を実行する。即ち、前記ルーティング装置１が無線ネットワーク接続または有線ネットワーク接続によりネットワークに連接される。前記ルーティング装置１の電源受口１５に連接されている変圧器（図示せず）又はバッテリー部１６（図２が示すように）により、電力が前記ルーティング装置１に供給される。
【００２１】
図２は本発明の実施例に係るルーティング装置１を示すブロック図である。前記ルーティング装置１は、プロセッサ１００と、無線ネットワーク送受信機構１０と、有線ネットワーク送受信機構１１と、メモリー体１２と、タッチパネル１３と、を備え、前記無線ネットワーク送受信機構１０が無線ネットワーク接続に使用され、ネットワーク信号を無線送信及び／又は無線受信し、前記有線ネットワーク送受信機構１１が有線ネットワーク接続に使用され、ネットワーク信号を有線送信及び／又は有線受信し、前記メモリー体１２が写真データを格納し、前記タッチパネル１３がマイクロプロセッサ１４を通じてプロセッサ１００に連接され、ネットワーク接続のネットワーク設定に使用され、ネットワーク設定の設定結果及びデジタル写真データを表示する。前記デジタル写真データを静的または動的にタッチパネル１３に示すことが可能である。
【００２２】
前記無線ネットワーク送受信機構１０が前記アンテナ１０１とプロセッサ１００の間に連接され、これによってネットワーク信号が前記アンテナ１０１とプロセッサ１００との間で転送される。前記有線ネットワーク送受信機構１１が前記RJ45コネクタ１１１とプロセッサ１００の間で連接され、これによってネットワーク信号が前記RJ45コネクタ１１１とプロセッサ１００との間で転送される。前記メモリー体１２がプロセッサ１００に接続することによって、ネットワークを受送信する時のネットワーク信号、又はネットワーク接続設定後の設定結果を格納する。
【００２３】
前記タッチパネル１３がマイクロプロセッサ１４を通じてプロセッサ１００に連接され、前記無線ネットワーク接続及び／又は有線ネットワーク接続のネットワーク設定に使用され、前記ネットワーク設定の設定結果及び前記写真データを表示する。前記タッチパネル１３がマイクロプロセッサ１４を通じて直接信号の送受信を実行する。そうすると、直接前記マイクロプロセッサ１４の画像処理機能が増加し、プロセッサ１００を変更する必要がなくなる。前記画像処理機能が画像解像度、カラー設定などの機能を有し、これによって前記プロセッサ１００がネットワーク信号処理の速度を加速することができる。その他、プロセッサ１００がより多くモジュール化の選択肢を持つことができ、コストが削減できる。前記マイクロプロセッサ１４は、フラッシュメモリ１４１を追加することが好ましい。これによって前記マイクロプロセッサ１４のキャパシティーを増加させ、写真データの表示速度、信号処理速度、信号受送信速度などが加速できる。
【００２４】
図１と図２のルーティング装置１の中に、使用者が直接タッチパネル１３に前記無線ネットワーク接続又は有線ネットワーク接続の設定を操作することができ、これによって、わざわざコンピュータ機器を通じてルーティング装置を設定しなければならないという不便性を排除する。図３が示すように、前記タッチパネル１３に入力キーボード部材１３０１を示すことができるため、使用者が直接入力キーボード部材１３０１に使用者ＩＤ、使用者パスワード、データ暗号化の設定（ＷＥＰ、ＷＰＡ、ＷＰＡ２などを含む）を直接操作することができ、これによって、コンピュータ機器を通じてルーティング装置を設定するという不便性から免除できる。
【００２５】
図５が示すように、本発明のルーティング装置１は写真表示機能を有する。選定された写真データをメモリー体１２に格納、又は有線ネットワーク接続又は無線ネットワーク接続することにより、他のコンピュータ機器（個人ＰＣ又はノートパソコンを含む）から写真データを前記タッチパネル１３に転送させることで、前記タッチパネル１３が写真を表示できるデジタルフォトフレームとして使用できる。
【００２６】
図４が示すように、本発明の実施例に係るルーティング装置１においては、前記タッチパネル１３が液晶モジュールである。液晶モジュールというのは液晶パネル部材１３１と制御回路部材１３２をシングルチップに統合、または単一部材をパッケージしたもので、制御回路部材１３２の配置の複雑さを省略することができる。
【００２７】
無線ネットワーク接続は無線LAN接続又は3Ｇ、3.5Ｇ、4Ｇの携帯送受信モードであってもよい。本発明の実施例に係るルーティング装置１の中に、前記無線ネットワーク送受信機構１０が無線LANモジュール及び携帯トランシーバモジュールを含んでもよい。これにより無線ネットワーク信号が受信できる。
【００２８】
図１が示すように、本発明の実施例に係るルーティング装置１においては、前記ルーティング装置１がさらにUSBインターフェース１７を有し、前記USBインターフェース１７を通じてユーザ識別モジュール（Subscriber Identity Module）に接続する。これは通常SIMカードと呼ばれる。これによって携帯電話の3Ｇ、3.5Ｇ、又は4Ｇの送受信を実行する。前記ルーティング装置１に内蔵インタフェースを設置してもよい。例えばSIMカードをSIMカードソケットに設置することにより無線中継局として利用できる。
【００２９】
図２が示すように、本発明の実施例に係るルーティング装置１においては、前記バッテリー部１６によってケーブルで室内電源と接続する必要が無い。前記バッテリー部１６を携帯用バッテリー又はモバイルバッテリー部材（power bank）に設置することで、前記モバイルバッテリーが必要なときに充電または放電することができる。前記バッテリー部１６が簡易着脱式のバッテリー部であって、簡単に着脱できるねじ無しバッテリー部でもよい。
【００３０】
図１が示すように、本発明の実施例に係るルーティング装置１においては、前記アンテナ１０１が着脱式アンテナ部である。前記アンテナ１０１が回転できると共に希望のサイズに応じて設計することにより、異なる伝送効率のニーズが提供され、使用空間を縮小することができる。
【００３１】
当該分野の技術を熟知するものが理解できるように、本発明の好適な実施形態を前述の通り開示したが、これらは決して本発明を限定するものではない。本発明の主旨と領域を逸脱しない範囲内で各種の調節や修正を加えることができる。従って、本発明の特許請求の範囲は、このような調節や修正を含めて広く解釈されるべきである。
【符号の説明】
【００３２】
１  ルーティング装置
１００  プロセッサ
１０  無線ネットワーク送受信機構
１０１  アンテナ
１１  有線ネットワーク送受信機構
１１１  RJ45コネクタ
１２  メモリー体
１３  タッチパネル
１３０１  入力キーボード部材
１３１  液晶パネル部材
１３２  制御回路部材
１４  マイクロプロセッサ
１４１  フラッシュメモリ
１５  電源受口
１６  バッテリー部
１７  USBインターフェース
【図１】
2016092812.tif 000003
【図２】
2016092812.tif 000004
【図３】
2016092812.tif 000005
【図４】
2016092812.tif 000006
【図５】
2016092812.tif 000007